(57)【要約】【課題】効率を高めることのできるスライディングパーティション付き運搬箱を提供する。【解決手段】ボックス状に形成されて物品を収納する収納空間が形成され、両側に向かい合うように一対の側面摺動溝が凹設された収納ボックスと、前記一対の側面摺動溝に沿って移動しながら前記収納ボックスの収納空間を可変的に変更させる可変パーティションと、を備え、前記可変パーティションは、前記側面摺動溝に嵌合して摺動する第１の可変パーティションと、前記第１の可変パーティションに上下方向に摺動するように係合されて高低を調節する第２の可変パーティションと、を備えるスライディングパーティション付き運搬箱。【選択図】図１
2018002301.tif 000002
【特許請求の範囲】
【請求項１】
ボックス状に形成されて物品を収納する収納空間が形成され、両側に向かい合うように一対の側面摺動溝が凹設された収納ボックスと、
前記一対の側面摺動溝に沿って移動しながら前記収納ボックスの収納空間を可変的に変更させる可変パーティションと、
を備え、
前記可変パーティションは、
前記側面摺動溝に嵌合して摺動する第１の可変パーティションと、前記第１の可変パーティションに上下方向に摺動するように係合されて高低を調節する第２の可変パーティションと、を備えるスライディングパーティション付き運搬箱。
【請求項２】
前記第１の可変パーティションは、
第１のパネルと、
前記第１のパネルの両側面から前記摺動溝に向かって突出して嵌合する側面摺動部と、
前記第１のパネルの下側に配置されて前記収納ボックスの下方向に所定の間隔を隔てて形成された複数の仮止め孔の内の一つの仮止め孔に向かって下方向に移動して前記仮止め孔に嵌合する突出部が形成された仮止め部と、
を備えることを特徴とする請求項１に記載のスライディングパーティション付き運搬箱。
【請求項３】
前記仮止め部は、
前記突出部の反対側に配置されて前記案内溝に沿って上下方向に弾性挙動しながら前記仮止め孔への前記突出部の嵌合、又は前記仮止め孔からの前記嵌合の解除を行う弾性部を備えることを特徴とする請求項２に記載のスライディングパーティション付き運搬箱。
【請求項４】
前記第２の可変パーティションは、
第２のパネルと、
前記第２のパネルの両側の終端において摺動方向と交差する方向に沿って弾性挙動する一時固定部と、
を備え、
前記一時固定部は、
前記第１のパネルに凹設された一時固定溝に選択的に係合されて高さを調整することを特徴とする請求項２に記載のスライディングパーティション付き運搬箱。
【請求項５】
前記収納ボックスは、
向かい合う上側面の両側に下方向に沿って一対の高さ調節積重ね溝が凹設され、
前記向かい合う高さ調節積重ね溝は、
互い違いの方向に配置されて前記収納ボックスを積み重ねるとき、積重ね高さを異なるように設定することを特徴とする請求項１に記載のスライディングパーティション付き運搬箱。
【発明の詳細な説明】
【技術分野】
【０００１】
本発明は、スライディングパーティション付き運搬箱に係り、収納空間を可変的に変更でき、条件に応じて運搬箱の積重ね高さを調整できるスライディングパーティション付き運搬箱に関する。
【背景技術】
【０００２】
従来のボックスは、軽量化を図るために紙材質を用いたが、紙材質は、破損され易いおそれがある。また、紙材質は、物品を運ぶときに下端部が破損されて作業者の足の甲に収納された物品が落下して作業者の安全を脅かす問題が生じるおそれがある。
【０００３】
この理由から、最近には、貨物の運搬及び搬送や保管の用途に用いられる運搬用ボックス又は引越し専用ボックスの材質として、紙材質に比べて大きな鋼性を有するプラスチック材質を用いて、繰り返し使用できるようにしている。
【０００４】
しかしながら、この種のプラスチック材質のボックスは、内部空間を可変的に変更できないが故に、種々の物品が混ざってしまい、物品を運んだ後に再び分類することを余儀なくされるという問題が生じる。
【先行技術文献】
【特許文献】
【０００５】
【特許文献１】大韓民国公開実用新案第２０１０−００１１２９９号（２０１０年１１月１９日）
【発明の概要】
【発明が解決しようとする課題】
【０００６】
本発明の目的は、収納空間を可変的に変更でき、しかも、収納空間の収納状態に応じて収納ボックスの積重ね高さを変更できるスライディングパーティション付き運搬箱を提供することにある。
【課題を解決するための手段】
【０００７】
上記の目的を達成するために、本発明の実施形態によるスライディングパーティション付き運搬箱は、ボックス状に形成されて物品を収納する収納空間が形成され、両側に向かい合うように一対の側面摺動溝が凹設された収納ボックスと、前記一対の側面摺動溝に沿って移動しながら前記収納ボックスの収納空間を可変的に変更させる可変パーティションと、を備え、前記可変パーティションは、前記側面摺動溝に嵌合して摺動する第１の可変パーティションと、前記第１の可変パーティションに上下方向に摺動するように係合されて高低を調節する第２の可変パーティションと、を備える。
【０００８】
ここで、前記第１の可変パーティションは、第１のパネルと、前記第１のパネルの両側面から前記摺動溝に向かって突出して嵌合する側面摺動部と、前記第１のパネルの下側に配置されて前記収納ボックスの下方向に所定の間隔を隔てて穿設された複数の仮止め孔の内の一つの仮止め孔に向かって下方向に移動して前記仮止め孔に嵌合する突出部が形成された仮止め部と、を備え得る。
【０００９】
ここで、前記仮止め部は、前記突出部の反対側に配置されて前記案内溝に沿って上下方向に弾性挙動しながら前記仮止め孔への前記突出部の嵌合、又は前記仮止め孔からの前記嵌合の解除を行う弾性部を備え得る。
【００１０】
ここで、前記第２の可変パーティションは、第２のパネルと、前記第２のパネルの両側の終端において摺動方向と交差する方向に沿って弾性挙動する一時固定部と、を備え、前記一時固定部は、前記第１のパネルに凹設された一時固定溝に選択的に係合されて高さを調整し得る。
【００１１】
ここで、前記収納ボックスは、向かい合う上側面の両側に下方向に沿って一対の高さ調節積重ね溝が凹設され、前記向かい合う高さ調節積重ね溝は、互い違いの方向に配置されて前記収納ボックスを積み重ねるとき、積重ね高さを異なるように設定し得る。
【発明の効果】
【００１２】
本発明によるスライディングパーティション付き運搬箱は、可変型パーティションが収納ボックスに沿って移動して収納空間を可変的に変更でき、物品の大きさに応じて収納空間を適切に調節できる他、収納ボックスの内部に物品が積載された状態に応じて積重ね高さを変更できることから、効率を高めることができる。
【図面の簡単な説明】
【００１３】
【図１】本発明の実施形態によるスライディングパーティション付き運搬箱の分解斜視図である。
【図２】本発明の実施形態によるスライディングパーティション付き運搬箱の斜視図である。
【図３】本発明の実施形態によるスライディングパーティション付き運搬箱の可変パーティションの分解斜視図である。
【図４】図２のＩＶ−ＩＶ線断面図の第１の可変パーティションの作動状態図である。
【図５】図２のＶの第１の可変パーティション及び第２のパーティションの作動状態を示す部分拡大図である。
【図６ａ】本発明の実施形態によるスライディングパーティション付き運搬箱の上部から眺めたｘ−ｙ平面図である。
【図６ｂ】図６ａが１８０°回転されたことを示すｘ−ｙ平面図である。
【図７】本発明の実施形態によるスライディングパーティション付き運搬箱の積重ね高さが異なるように設定されたことを示す図である。
【発明を実施するための形態】
【００１４】
以下、添付図面に基づき、本発明の好適な実施形態を詳述する。このとき、添付の図面において、同じ構成要素にはできる限り同じ図面符号を付していることに留意すべきである。なお、本発明の要旨を曖昧にするおそれがある公知の機能及び構成についての詳細な説明は省略する。同じ理由から、添付の図面において、一部の構成要素は、誇張されているか、省略されているか、或いは、概略的に示されている。
【００１５】
また、明細書の全体に亘って、ある部分がある構成要素を「備える」としたとき、これは、特に断りのない限り、ある他の構成要素を除外することを意味するわけではなく、他の構成要素をさらに備え得ることを意味する。なお、明細書の全体に亘って、「〜の上に」とは、対象となる部分の上又は下に位置することを意味し、必ずしも重力方向を基準として上側に位置することを意味するわけではない。
【００１６】
図１は、本発明の実施形態によるスライディングパーティション付き運搬箱の分解斜視図であり、図２は、本発明の実施形態によるスライディングパーティション付き運搬箱の斜視図である。
【００１７】
図１及び図２に参照すると、本発明の実施形態によるスライディングパーティション付き運搬箱１０は、収納ボックス１００及び可変パーティション２００を備える。
【００１８】
収納ボックス１００は、ボックス状に形成されて物品を収納する収納空間が形成され、向かい合う両側に一対の側面摺動溝１１０が一方向に沿って凹設される。
【００１９】
収納ボックス１１０の下面の中央には、側面摺動溝１１０の凹設方向と同じ方向に可変パーティション２００の摺動を案内する下面摺動溝１２０が凹設される。下面摺動溝１２０を中心として両側面には、所定の間隔を隔てて仮止め孔１２１が穿設される。
【００２０】
収納ボックス１００は、側面摺動溝１１０と交差する方向に且つ両側面に一対の高さ調節積重ね溝１３０、１４０が凹設される。高さ調節積重ね溝１３０、１４０は、ｘｙ平面を基準として互い違いの方向に配置され、下方向のｚ軸に沿って溝の深さが小さくなるように凹設される。このように高さ調節積重ね溝１３０、１４０が互い違いに配置されることにより、収納ボックス１００を積み重ねるとき、積重ね高さを異なるように設定することができる。この詳細については、図５及び図６に基づいて後述する。
【００２１】
収納ボックス１００は、全体的な軽量化を図るために、周縁方向及び下方向に沿って複数の孔が穿設され、孔の穿設パターンは、様々である。
【００２２】
可変パーティション２００は、側面摺動溝１１０に嵌合して一方向に沿って摺動する第１の可変パーティション２１０と、第１の可変パーティション２１０に上下方向に摺動するように係合されて高低を調節する第２の可変パーティション２２０と、を備える。
【００２３】
第１の可変パーティション２１０は、長手方向に沿って摺動して物品を収納する空間を可変的に変更させる役割を果たし、第２の可変パーティション２２０は、収納ボックス１００の収納状態に応じて高さを異なるように設定する役割を果たす。
【００２４】
図３は、本発明の実施形態によるスライディングパーティション付き運搬箱の可変パーティションの分解斜視図であり、図４は、図２のＩＶ−ＩＶ線断面図の第１の可変パーティションの作動状態図であり、図５は、図２のＶの第１の可変パーティション及び第２のパーティションの作動状態を示す部分拡大図である。
【００２５】
図３から図５を参照すると、本発明の実施形態による可変パーティション２００は、上述したように、第１の可変パーティション２１０及び第２の可変パーティション２２０を備える。
【００２６】
第１の可変パーティション２１０は、第１のパネル２１１、側面摺動部２１２及び仮止め部２１３を備える。
【００２７】
第１のパネル２１１は板状に形成されて両側面に側面摺動溝１１０に沿って移動する側面摺動部２１２が係合される。側面摺動部２１２は、第１のパネル２１１を中心として両方向に突出するように形成されることにより、側面摺動溝１１０に沿って安定的に移動を案内することができる。
【００２８】
第１のパネル２１１は、中央の下側に仮止め部２１３の上下移動を案内する第１の案内溝２１１１が凹設され、且つ、第１の案内溝２１１１を中心として両側に第２の可変パーティション２２０の移動を案内する第２の案内溝２１１２が一対に凹設される。
【００２９】
第１の案内溝２１１１は、下面において上方向に溝が凹設されるものであり、上端には、仮止め部２１３の終端が嵌合して移動を案内するように空間が形成される。第１の案内溝２１１１は、第１のパネル２１１と直交する方向に第１の突出部２１１４が形成されて仮止め部２１３の移動を案内する。
【００３０】
第２の案内溝２１１２は、第１の案内溝２１１の両側面に配置されて第２の可変パーティション２２０を摺動するように所定の深さの溝が凹設されるものである。第２の案内溝２１１２は、両側の終端に抜け止め部２１１３を備える。抜け止め部２２１３は、第２の可変パーティション２２０が上下方向に移動するとき、第２の可変パーティション２２０が第１の可変パーティション２１０から抜脱されることを防ぐ役割を果たす。また、抜け止め部２１１３の下面には、第２の可変パーティション２２０を一時的に固定する一時固定溝２１１８が凹設される。第２の案内溝２１１２には、第１の突出部２１１４と同じ方向に突出する第２の突出部２１１７が形成される。第２の突出部２１１７は、第２の可変パーティション２２０が第１の可変パーティション２１０から抜脱されることを防ぐとともに、上下方向に移動を案内する役割を果たす。
【００３１】
一方、第１のパネル２１１の下面は、係止部２１１５を備えて仮止め部２１３が下方向に設定された範囲以上に移動することを制限する。係止部２２１５の下面には、下面摺動溝１２０に沿って移動する下部摺動部２１１６が形成される。下部摺動部２１１６は、可変パーティション２００を強固に支持することにより、側面摺動部２１２とともに摺動を円滑に誘導することができる。
【００３２】
仮止め部２１３は、全体的な形状が逆「Ｔ」状を呈し、両端の下方向に沿って突出部２１３１が形成される。突出部２１３１は、収納ボックス１００の下方向に所定の間隔を隔てて穿設された複数の仮止め孔１２１の内の一つの仮止め孔１２１に向かって下方向に移動して仮止め孔１２１に嵌合して収納ボックス１００に可変パーティション２００を一時的に固定することができる。
【００３３】
突出部２１３１には、第１の長円状孔２１３２が穿設され、第１の長円状孔２１３２は、第１のパネル２１１の第１の案内溝２１１２に突設された第１の突出部２１１４に取り付けられて上下方向に移動することができる。第１の突出部２１１４及び第１の長円状孔２１３２は嵌合方式により互いに固定されて第１のパネル２１１及び仮止め部２１３が互いに分離されることを防ぐことができる。
【００３４】
一方、仮止め部２１３は、突出部２１３１の反対側に配置されて第１の案内溝２１１１に沿って上下方向に弾性挙動しながら仮止め孔１２１への突出部２１３１の嵌合、又は仮止め孔１２１からの突出部２１３１の嵌合の解除を行う弾性部２１３３を備える。弾性部２１３３は、全体的な形状が帯状のひし形に形成されて、上下方向に移動するとき、帯状のひし形が圧縮されたり、圧縮された形状が復元されたりしながら上下方向に移動しながら仮止め孔１２１への突出部２１３１の嵌合、又は仮止め孔１２１からの突出部２１３１の嵌合の解除を行う役割を果たす。
【００３５】
このとき、仮止め部２１３は、指掛け環２１３４を備える。指掛け環２１３４は、指を差し込んで仮止め部２１３を上下方向に移動させる用途に用いられる。
【００３６】
第２の可変パーティション２２０は、第１の可変パーティション２１０に摺動自在に係合されて収納ボックス１００内において高さを調整する役割を果たすものであり、第２のパネル２２１、一時固定部２２２及び第２の長円状孔２２３を備える。
【００３７】
第２のパネル２２１は、第１のパネル２１１に摺動して係合するように形成されて上下方向に移動し、第２のパネル２２１の両側の終端には一時固定部２２２が形成される。一時固定部２２２は、摺動溝１１０に向かって弾性挙動できて、一時固定溝２１１８への係合及び一時固定溝２１１８からの解除が手軽に行われる。このため、一時固定部２２２が一時固定溝２１１８に係合された状態では収納空間を分割する役割を果たし、係合が解除されて下方向にある状態では物品が収納されていない収納ボックスを積み重ねるときに使用可能である。
【００３８】
一方、第２のパネル２２１は、第２の長円状孔２２３を備えていてもよい。第２の長円状孔２２３は、下方向に沿って長く形成され、第１のパネル２１１に形成された第２の突出部２１１７と係合される。
【００３９】
図６ａは、本発明の実施形態によるスライディングパーティション付き運搬箱の上部から眺めたｘ−ｙ平面図であり、図６ｂは、図６ａが１８０°回転されたことを示すｘ−ｙ平面図であり、図７は、本発明の実施形態によるスライディングパーティション付き運搬箱の積重ね高さが異なるように設定されたことを示す図である。
【００４０】
図６及び図７を参照すると、本発明の実施形態によるスライディングパーティション付き運搬箱１００は、側面摺動溝１１０と交差する方向に且つ両側面に下方向に沿って一対の高さ調節積重ね溝１３０、１４０が形成され、それぞれに隣り合うように高さ調節受け部１３１、１４１が形成される。このとき、高さ調節積重ね溝１３０、１４０は、ｘｙ平面を基準として互い違いの方向に配置される。
【００４１】
このようにして形成した高さ調節積重ね溝１３０、１４０及び高さ調節受け部１３１、１４１を用いて、本発明の実施形態によるスライディングパーティション付き運搬箱は、積重ね高さを２種類に設定することができる。
【００４２】
第一の方法は、収納空間に物品が収納された状態における積み重ね方法である。このときには、収納空間の高さが保たれなければならない。このために、したがって、図６ａの第１のスライディングパーティション付き運搬箱１０ａの高さ調節受け部１４１ａに図６ｂの第２のスライディングパーティション付き運搬箱１０ｂの高さ調節積重ね溝１３０ａが位置するように配置すると、第２のスライディングパーティション付き運搬箱１０ｂは高さ調節受け部１４１ａにより下方向を移動することが制限されて、図７の（ａ）に示すように形成される積重ね高さを設定することができる。
【００４３】
第二の方法は、収納空間に物品がないときの積重ね方法である。物品が収納されていない状態で積重ね高さを図７（ａ）に示すように形成すると、移動に当たって多くの空間を占め、しかも、転倒し易いおそれがある。このため、第１のスライディングパーティション付き運搬箱１０ａ及び第２のスライディングパーティション付き運搬箱１０ｂを重ねて配置することにより、このような問題を解消することができる。このときには、図６ａ又は図６ｂを回転なしに同じ高さに積み重ねると、積重ね溝に沿って摺動して収納ボックスの下方向に重なって、図７（ｂ）に示すように積み重ねられる。
【００４４】
一方、本発明及び図面に開示されている本発明の実施形態は、本発明の技術内容を説明し易くし、且つ、本発明の理解への一助になるために特定の例を提示するものに過ぎず、本発明の範囲を限定しようとするものではない。ここに開示されている実施形態に加えて、本発明の技術的思想に基づく他の変形例が実施可能であるということは、本発明が属する技術分野において通常の知識を有する者にとって自明である。
【符号の説明】
【００４５】
１０：スライディングパーティション付き運搬箱
１００：収納ボックス
１１０：側面摺動部
２００：可変パーティション
２１０：第１の可変パーティション
２２０：第２の可変パーティション
【図１】
2018002301.tif 000003
【図２】
2018002301.tif 000004
【図３】
2018002301.tif 000005
【図４】
2018002301.tif 000006
【図５】
2018002301.tif 000007
【図６ａ】
2018002301.tif 000008
【図６ｂ】
2018002301.tif 000009
【図７】
2018002301.tif 000010
【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
ボックス状に形成されて物品を収納する収納空間が形成され、両側に向かい合うように一対の側面摺動溝が凹設された収納ボックスと、
前記一対の側面摺動溝に沿って移動しながら前記収納ボックスの収納空間を可変的に変更させる可変パーティションと、
を備え、
前記可変パーティションは、
前記側面摺動溝に嵌合して摺動する第１の可変パーティションと、前記第１の可変パーティションに上下方向に摺動するように係合されて高低を調節する第２の可変パーティションと、を備え、
前記第１の可変パーティションは、
第１のパネルと、
前記第１のパネルの両側面から前記摺動溝に向かって突出して嵌合する側面摺動部と、
前記第１のパネルの下側に配置されて前記収納ボックスの下方向に所定の間隔を隔てて形成された複数の仮止め孔の内の一つの仮止め孔に向かって下方向に移動して前記仮止め孔に嵌合する突出部が形成された仮止め部と、
を備えるスライディングパーティション付き運搬箱。
【請求項２】
前記仮止め部は、
前記突出部の反対側に配置されて前記案内溝に沿って上下方向に弾性挙動しながら前記仮止め孔への前記突出部の嵌合、又は前記仮止め孔からの前記嵌合の解除を行う弾性部を備えることを特徴とする請求項１に記載のスライディングパーティション付き運搬箱。
【請求項３】
前記第２の可変パーティションは、
第２のパネルと、
前記第２のパネルの両側の終端において摺動方向と交差する方向に沿って弾性挙動する一時固定部と、
を備え、
前記一時固定部は、
前記第１のパネルに凹設された一時固定溝に選択的に係合されて高さを調整することを特徴とする請求項１に記載のスライディングパーティション付き運搬箱。
【請求項４】
前記収納ボックスは、
向かい合う上側面の両側に下方向に沿って一対の高さ調節積重ね溝が凹設され、
前記向かい合う高さ調節積重ね溝は、
互い違いの方向に配置されて前記収納ボックスを積み重ねるとき、積重ね高さを異なるように設定することを特徴とする請求項１に記載のスライディングパーティション付き運搬箱。